(57)【要約】【課題】ネットワークの構築やその変更或いは配線付設やその変更を行うことなく、製造ライン等の故障分析を可能にした端子台装置を提供する。【解決手段】ＰＬＣ１２とソレノイド３１やバルブ３２の外部出力機器とを中継し且つ外部出力機器を制御する近接センサＳＷ０〜ＳＷ２等である外部入力機器からの入力データを取り込み、入力データをもとにＰＬＣ１２が指令した制御信号により外部出力機器を駆動する制御部２０を有する端子台本体１を備え、制御部２６が、ＰＬＣ１２からの入力データをメモリカセット９の記憶媒体１０に記憶させる制御手段４を有すると共に、メモリカセット９を端子台本体１に切離可能に設けた。【選択図】  図３
2004280345.tif 000002
【特許請求の範囲】
【請求項１】
制御機器と外部出力機器とを中継し且つ前記外部出力機器を制御する外部入力機器からの入力データを取り込み、この入力データをもとに前記制御機器が指令した制御信号により前記外部出力機器を駆動する制御部を有する端子台本体を備え、前記制御部が、前記制御機器からの入力データをメモリカセットの記憶媒体に記憶させる制御手段を有すると共に、前記メモリカセットを前記端子台本体に切離可能に設けたことを特徴とする端子台装置。
【請求項２】
前記メモリカセットは、前記端子台本体に設けたメモリカセッ卜接続用コネクタを介して、前記端子台本体に切離可能に構成したことを特徴とする請求項１に記載の端子台装置。
【請求項３】
前記制御手段は、前記入力データに異常がある場合に、この異常データを正常データと共に前記記憶手段に記憶させるように構成したことを特徴とする請求項１または２記載の端子台装置。
【請求項４】
前記メモリカセットの記憶媒体は、前記制御部に備えた記憶手段が記憶している前記入力データを取込んで記憶するように構成したことを特徴とする請求項１乃至３のいずれか一に記載の端子台装置。
【請求項５】
前記制御手段は、前記入力データに前記異常データが検出された場合、この異常データを異常トリガとして、この異常トリガ発生前の入力データを含む所定周期の入力データを前記記憶手段から読み出して前記メモリカセットの前記記憶媒体に記憶させるように構成したことを特徴とする請求項３又は４に記載の端子台装置。
【請求項６】
前記一定期間は、前記異常データを含む１周期の入力データと、前記異常データの発生前１周期の入力データとから構成される入力データであることを特徴とする請求項５記載の端子台装置。
【請求項７】
前記記憶手段は、前記制御手段の制御により前記入力データを２周期を単位として記憶することを特徴とする請求項５又は６記載の端子台装置。
【請求項８】
ネットワークに接続された上位ＰＬＣである前記制御機器と、近接スイッチ或いは異常停止スイッチ等のスイッチ類である前記外部入力機器とを中継することを特徴とする請求項１乃至７のいずれか一に記載の端子台装置。
【請求項９】
前記制御部が、前記入力データのオン回数やオン積算回数時間などの保全情報を監視することを特徴とする請求項１乃至８のいずれか一に記載の端子台装置。
【発明の詳細な説明】
【０００１】
【発明の属する技術分野】
本発明は、ＰＬＣのような制御機器とソレノイドのような外部出力機器とを中継し且つ外部出力機器を監視する近接スイッチのような外部入力機器からの入力データを取り込み、この入力データをもとに制御機器の指令により外部出力機器を制御する端子台装置に関するものである。
【０００２】
【従来の技術】
製造ライン等で異常停止した場合に、ダウンタイム（製造ライン等が停止している時間）をなるべく短くしたいという要望がある。
【０００３】
製造ライン等の異常停止が発生したときの動きは、次のようになっている。
▲１▼現場の保全担当者が異常箇所を調査し、異常箇所と思われるところを探し出す。
▲２▼異常箇所と思われるところの機器を交換又は修理する。
▲３▼異常箇所と思われるところの機器の交換又は修理終了後、製造ライン等が正常に動けば完了する。
【０００４】
また、従来装置として、図１２に示すリモート監視システム４３がある。このリモート監視システム４３は、データ収集ユニット４０によって、設備機器４１から出力される状態検知信号を取り込ませながら、監視ユニット４２が正常に作動しているとき、取り込んだ状態検知信号を監視ユニット４２に供給させて、設備機器４１の監視を行わせ、また監視ユニット４２が正常に作動していないとき、取り込んだ状態検知信号などを一時的に記憶させ、監視ユニット４２が正常になった時点で、一時的に記憶させている状態検知信号などを監視ユニット４２に供給させて、設備機器４１の監視を再開させるようにしたものである。なお、図１２において、４４はデータ処理装置、４５はＣＲＴ監視装置、４６はメッセージプリンタ装置、４７はゲートウエイ装置、４８はＩ／Ｏコントローラ、４９はメモリである（特許文献１参照）。
【０００５】
【特許文献１】
特開２００２−７３４３２号公報
【０００６】
【発明が解決しようとする課題】
しかしながら、上記したように、異常箇所と思われるところの機器の交換又は修理終了後、製造ライン等が正常に動けば完了するとした場合、たとえば異常の本当の原因ではない機器を交換又は修理し、たまたま製造ライン等が正常に再稼動すると、それで良しとしてしまいがちになり、本当の原因の対策ができていないために、数ケ月後にまた異常停止が発生するといったような悪循環となることがある。
【０００７】
保全の観点で異常の前兆を捕らえたいところであるが、異常停止の状態を再現させることが困難であるのが実情であり、異常停止になる直前の状態、即ち入出力のシーケンス情報（タイムチャート）がわからないために、予防保全即ち直前の状態を分析し、予兆を発見し、対策を打つなどの処置ができない。
【０００８】
入出力のユニットをネットワーク化してデ一夕のやり取りをする方法が考えられるが、ネットワークを構築してしまうと、設備（デバイス）の変更の際にネットワークの構築変更や、配線の付設変更が発生してしまいロスが大きいという問題点があった。
【０００９】
本発明は、上記の問題点に着目して成されたものであって、その目的とするところは、ネットワークの構築或いはその変更や配線の付設変更を行わなくても、外部入力機器の入力データから予防保全のための異常データの解析を容易ならしめる端子台装置を提供することにある。
【００１０】
【課題を解決するための手段】
上記の目的を達成するために、本発明に係る端子台装置は、制御機器と外部出力機器とを中継し且つ外部出力機器を制御する外部入力機器からの入力データを取り込み、この入力データをもとに制御機器が指令した制御信号により外部出力機器を駆動する制御部を有する端子台本体を備え、制御部が、制御機器からの入力データをメモリカセットの記憶媒体に記憶させる制御手段を有すると共に、メモリカセットを端子台本体に切離可能に設けたことを特徴とするものである。
【００１１】
制御機器としてはＰＬＣが好ましく、外部出力機器としてはバルブ、ソレノイド等があり、外部入力機器としては近接スイッチ、光電スイッチ、異常検出スイッチ等がある。
【００１２】
かかる構成により、入力データに異常がある場合には、メモリカセットの記憶媒体に異常データと正常データとが記憶されるために、このメモリカセットを取り外して、例えばコンピュータ等の機器で正常データと異常データとのタイムチャートを出力できるようになり、予防保全のための異常データの解析が容易に実施できるようになる。
【００１３】
このように、予防保全のための異常データの解析を行うことにより、異常個所を特定することが可能になり、この異常個所の特定で製造ライン等を確実に修復することができる。
【００１４】
また、本発明に係る端子台装置は、上記した本発明に係る端子台装置において、メモリカセットは、端子台本体に設けたメモリカセッ卜接続用コネクタを介して、端子台本体に切離可能に構成したことを特徴とするものである。
【００１５】
かかる構成により、接続端子台本体のメモリカセット接続用コネクタからメモリカセットを外して、メモリカセットを、例えばコンピュータ等の機器に接続できるようになり、このメモリカセットに記憶された正常データと異常データとのタイムチャートを出力して、予防保全のための異常データの解析が容易に実施できるようになる。
【００１６】
また、本発明に係る端子台装置は、上記した本発明に係る端子台装置において、制御手段は、入力データに異常がある場合に、この異常データを正常データと共に記憶手段に記憶させるように構成したことを特徴とするものである。
【００１７】
かかる構成により、入力データに異常がある場合には、この異常データを正常データと共に記憶手段に記憶させることができる。
【００１８】
また、本発明に係る端子台装置は、上記した本発明に係る端子台装置において、メモリカセットの記憶媒体は、制御部に備えた記憶手段が記憶している入力データを取込んで記憶するように構成したことを特徴とするものである。
【００１９】
かかる構成により、メモリカセットの記憶媒体は、制御部に備えた記憶手段が記憶している入力データを取込んで記憶することができる。したがって、端子台本体からメモリカセットを外して、メモリカセットを、例えばコンピュータ等の機器に接続できるようになり、このメモリカセットに記憶された正常データと異常データとのタイムチャートを出力して、予防保全のための異常データの解析が容易に実施できるようになる。
【００２０】
また、本発明に係る端子台装置は、上記した本発明に係る端子台装置において、制御手段が、入力データに異常データが検出された場合、この異常データを異常トリガとして、この異常トリガ発生前の入力データを含む所定周期の入力データを記憶手段から読み出してメモリカセットの記憶媒体に記憶させるように構成したことを特徴とするものである。
【００２１】
かかる構成により、異常データを含む所定周期の入力データをメモリカセットの記憶媒体に記憶させておくことができる。
【００２２】
この結果、所定周期内の入力データに異常トリガがかかったときに、異常トリガ発生前の周期における入力データを含み、所定周期内の入力データをメモリカセットの記憶媒体に蓄えることができる。そして、このメモリカセットメモリをコンピュータ等の機器で正常データと異常データとのタイムチャートを出力できるようになり、予防保全のための異常データの解析が容易に実施できるようになる。
【００２３】
また、本発明に係る端子台装置は、上記した本発明に係る端子台装置において、異常トリガ発生前後の一定期間の異常データを含む入力データは、異常データの１周期と、異常データの前の正常データ１周期の合計２周期分のデータであることを特徴とするものである。
【００２４】
かかる構成により、制御手段は、入力データを所定周期で記憶手段に記憶させ、異常データを検出した場合、この異常データを異常トリガとして、記憶手段に記憶した入力データのうちの異常トリガ発生前後の一定期間の入力データ、すなわち、異常データの１周期と、異常データの前に記憶した正常データ１周期の合計２周期のデータを読み出してメモリカセットの記憶媒体に記憶させ、記憶手段は、制御手段の制御により入力データを記憶し、この記憶した異常データの１周期と、異常データの前に記憶した正常データ１周期の合計２周期のデータをメモリカセットの記憶媒体に転送することができる。
【００２５】
また、本発明に係る端子台装置は、上記した本発明に係る端子台装置において、記憶手段は、制御手段の制御により入力データを２周期を単位として記憶することを特徴とするものである。
【００２６】
かかる構成により、記憶手段は、制御手段の制御により入力データを２周期を一単位として記憶することができる。
【００２７】
また、本発明に係る端子台装置は、上記した本発明に係る端子台装置において、ネットワークに接続された上位ＰＬＣである制御機器と、近接スイッチ或いは異常停止スイッチ等のスイッチ類である外部入力機器とを中継することを特徴とするものである。
【００２８】
かかる構成により、例えば上位ＰＬＣ側の管理センタにおいて、近接スイッチ、異常停止スイッチ等が製造ラインの異常を検出して、適宜的確な処置を適時に行うことができる。
【００２９】
また、本発明に係る端子台装置は、上記した本発明に係る端子台装置において、制御部が、入力データのオン回数やオン積算回数時間などの保全情報を監視することを特徴とするものである。
【００３０】
かかる構成により、入力データのオン回数やオン積算回数時間などの保全情報を監視することができて、製造ラインの異常発生を監視することができる。
【００３１】
【発明の実施の形態】
以下、本発明の実施の形態を図面に基づいて説明する。
【００３２】
図１は本発明に係る端子台装置の平面図、図２は同端子台装置の正面図、図３は同端子台装置の制御部のブロック図である。
【００３３】
本発明に係る端子台装置１は、図１、図２及び図４に示すように端子台本体２０を有しており、この端子台本体２０の上面部には、端子台部２と、端子台側コネクタＣＮ３と、メモリカセット接続用コネクタＣＮ１とが設けてある。端子台部２は、仕切り部２１により仕切られた多数の端子装着部２２が、端子台部２の長手方向に多数形成してあり、これらの端子装着部２２にプラス用接続端子２３と、信号用接続端子２４と、マイナス用接続端子２５とが一列に並べて装着してある。
【００３４】
また、端子台本体２０には、図３に示すように表示器７及びリセットスイッチ８が設けてあり、また、図４に示すようにメモリカセット接続用コネクタＣＮ１にはメモリカセット９が接続されている。
【００３５】
また、端子台装置１は、その内部に制御部２６を有している。この制御部２６は、図３に示すように絶縁インタフェース３、制御手段４、記憶手段５、表示器駆動手段６を備えている。
【００３６】
絶縁インタフェース３は、フォトカプラ等の電源アイソレーション機能、後述する入力データＤ０，Ｄ１，Ｄ２を内部バスＢＵに乗せるインタフェース機能で構成してあり、取り込んだ入力データＤ０，Ｄ１，Ｄ２に電気的にアイソレーションを施し、これらの入力データＤ０，Ｄ１，Ｄ２を内部バスＢＵを介して制御手段４に提供する機能を有する。
【００３７】
制御手段４は、マイクロプロセッサを基本に各種処理機能、比較機能を備えており、内部バスＢＵから供給される入力データＤ０，Ｄ１，Ｄ２を所定周期で、例えば２周期を一単位として記憶手段５に記憶させる制御を実行する機能を有する。
【００３８】
また、制御手段４は、異常データを検出した場合、記憶手段５に記憶した異常データの１周期と、異常データの前に記憶した正常データ１周期の合計２周期のデータを読み出してメモリカセット９の記憶媒体１０に記憶させる制御を実行する機能を有する。
【００３９】
さらに、制御手段４は、異常データを検出すると、起動信号ＳＫを表示器駆動手段６に供給して、表示器駆動手段６の起動を制御する機能を有する。
【００４０】
また、制御手段４は、内部バスＢＵから提供される２周期分の入力データＤ０，Ｄ１，Ｄ２と、予め記憶手段５に設定した所定パターンの２周期分の基本データである入力データＤ０，Ｄ１，Ｄ２とを比較し、両者が一致する場合には入力データが正常と判断し、両者が不一致の場合には入力データが異常と判断するように構成することもできる。
【００４１】
記憶手段５は、ＥＥＰＲ０Ｍ、ＲＡＭ等の書替え可能なメモリで構成してあり、制御手段４の制御により、内部バスＢＵから供給される入力データＤ０，Ｄ１，Ｄ２を所定周期で、例えば２周期を一単位として記憶する機能を有する。
【００４２】
また、記憶手段５は、制御手段４が異常データを検出した場合、制御手段４の制御により、記憶した異常データを含む入力データ１周期と正常データからなる入力データ１周期の２周期分をメモリカセット９の記憶媒体１０に転送する機能を有する。
【００４３】
表示器駆動手段６は、表示器駆動機能や音声駆動機能を備えており、制御手段４から供給される起動信号ＳＫに基づいて表示器駆動信号ＳＤまたは音声駆動信号ＳＤを表示器７に提供する機能を有する。
【００４４】
表示器７は、ＬＥＤ（発光ダイオード）やスピーカ等で構成してあり、表示器駆動手段６から提供される表示器駆動信号ＳＤまたは音声駆動信号ＳＤに基づいて異常データを表示や音声で通知する機能を有する。
【００４５】
リセットスイッチ８は、押し釦スイッチ等で構成してあり、異常データの表示や音声を停止する場合に操作し、リセット情報ＪＲを制御手段４に供給する機能を有する。
【００４６】
メモリカセット９は、図５乃至図８に示すようにカセット本体２７を備えており、このカセット本体２７は、メモリカセット側コネクタＣＮ２と、このメモリカセット側コネクタＣＮ２に回路接続されたＥＥＰＲ０Ｍのような記憶媒体１０とを備えている。記憶媒体１０は入力データＤ０，Ｄ１，Ｄ２の異常データの１周期と、異常データの前に記憶した正常データ１周期の合計２周期のデータを格納するものである。
【００４７】
メモリカセット９は、そのメモリカセット側コネクタＣＮ２をメモリカセット接続用コネクタＣＮ１から外して持ち運ぶことが可能であり、図１０に示すツールケーブル２８を使用してパーソナルコンピュータ２９等に接続し、異常データと正常データとのタイムチャートをパーソナルコンピュータ２９の画面上に表示し、異常データの解析を実行するのに供されるものである。
【００４８】
図９に示すように、上記のように構成された端子台装置１（１−１、１−２、１−３）は、制御機器を構成するＰＬＣ（Ｐｒｏｇｒａｍｍａｂｌｅ    Ｌｏｇｉｃ  Ｃｏｎｔｒｏｌｌｅｒ）１２と、外部入力機器を構成する光電スイッチ３０、近接スイッチＳＷ０，ＳＷ１，ＳＷ２、外部出力機器を構成するソレノイド３１、バルブ３２と共に、製造ライン監視システムを構成している。
【００４９】
すなわち、ＰＬＣ１２と端子台装置１（１−１、１−２、１−３）とは、ＰＬＣ側接続コネクタ１１と端子台側コネクタＣＮ３とをケーブル３３で接続することで互いに接続してある。
【００５０】
そして、端子台装置１（１−１）における光電スイッチ３０の接続は、光電スイッチ３０の接続ケーブル３４の端末を端子台部２のプラス側接続端子２３、信号側接続端子２４、マイナス側接続端子２５に接続して行われている。
【００５１】
また、端子台装置１（１−２）における近接スイッチＳＷ０，ＳＷ１，ＳＷ２の接続は、近接スイッチＳＷ０，ＳＷ１，ＳＷ２の接続ケーブル３５の端末を端子台部２のプラス側接続端子２３、信号側接続端子２４、マイナス側接続端子２５に接続して行われている。
【００５２】
また端子台装置１（１−３）におけるソレノイド３１とバルブ３２との接続は、ソレノイド３１とバルブ３２の駆動用ケーブル３６、３７の端末を端子台部２のプラス側接続端子２３、信号側接続端子２４、マイナス側接続端子２５に接続して行われている。
【００５３】
次に、上記のように構成された端子台装置１を、製造ライン監視システムにおける近接スイッチＳＷ０，ＳＷ１，ＳＷ２の場合について説明する。
【００５４】
端子台装置１は、ＰＬＣ側接続コネクタ１１から、外部出力機器としてのソレノイド３２を監視する近接スイッチＳＷ０，ＳＷ１，ＳＷ２からの入力データ入力０，入力１，入力２（入力データＤ０，Ｄ１，Ｄ２）を取り込み、絶縁インタフェース３が、取り込んだ入力データＤ０，Ｄ１，Ｄ２に電気的にアイソレーションを施し、これらの入力データＤ０，Ｄ１，Ｄ２を内部バスＢＵを介して制御手段４に提供する。
【００５５】
制御手段４は、内部バスＢＵから供給される入力データＤ０，Ｄ１，Ｄ２を所定周期で、例えば２周期を一単位として記憶手段５に記憶させる制御を実行する。
【００５６】
記憶手段５は、制御手段４の制御により内部バスＢＵから供給される入力データＤ０，Ｄ１，Ｄ２を所定周期で、例えば２周期を一単位として記憶する。
【００５７】
ここで、入力データＤ０，Ｄ１，Ｄ２が正常データＦ１である場合、これらの入力データＤ０，Ｄ１，Ｄ２は、図１１の（１）に示すように、一定のパルス波形を各周期繰り返している。また、入力データＤ０，Ｄ１，Ｄ２のうちの入力データＤ１が異常データＦ２である場合、この入力データＤ１は、図１１の（２）に示すように、一定のパルス波形が異常トリガＴの発生時点からパルス幅が変化した状態になる。
【００５８】
また、制御手段４は、異常データＦ２を検出した場合、異常データＦ２を異常トリガＴとして、記憶手段５に記憶した異常トリガＴの発生前の入力データを含む所定周期の入力データ、すなわち、異常データＦ２を含む入力データの１周期と、異常データＦ２が属する入力データの１周期前に記憶した正常データＦ１の１周期の合計２周期のデータを読み出してメモリカセット９の記憶媒体１０に記憶させる制御を実行する。
【００５９】
さらに、制御手段４は、異常データＦ２を検出すると、起動信号ＳＫを表示器駆動手段６に供給して、表示器駆動手段６の起動を制御する。
【００６０】
また、記憶手段５は、制御手段４が異常データＦ２を検出した場合、制御手段４の制御により、記憶した異常データＦ２を含む入力データ１周期と正常な入力データＦ１の１周期の２周期分をメモリカセット９の記憶媒体１０に転送する。
【００６１】
表示器駆動手段６は、制御手段４から供給される起動信号ＳＫに基づいて表示器駆動信号ＳＤまたは音声駆動信号ＳＤを表示器７に提供する。
【００６２】
表示器７は、表示器駆動手段６から提供される表示器駆動信号ＳＤまたは音声駆動信号ＳＤに基づいて異常データＦ２を表示や音声で通知する。この通知をもとに製造ラインを停止する。
【００６３】
メモリカセット９は、その記憶媒体１０に異常データＦ２を含む入力データ１周期と正常データＦ１である入力データの１周期の２周期分を記憶しており、このメモリカセット９を、そのメモリカセット側コネクタＣＮ２をメモリカセット接続用コネクタＣＮ１から外して端子台装置１から分離して、図１０に示すように、ツールケーブル２８を使用してパーソナルコンピュータ２９に接続する。
【００６４】
そして、パーソナルコンピュータ２９を駆動することにより、メモリカセット９の記憶媒体１０が記憶している異常データＦ２と正常データＦ１とのタイムチャートをパーソナルコンピュータ２９の画面上に表示し、この異常データＦ２の解析を実行する。
【００６５】
そして、製造ラインの異常個所を特定して修復し、この製造ラインを再稼働させる。
【００６６】
また、制御部２６が、入力データＤ０，Ｄ１，Ｄ２のオン回数やオン積算回数時間などの保全情報を監視するようにしてもよい。この場合、入力データＤ０，Ｄ１，Ｄ２のオン回数やオン積算回数時間などの保全情報を監視することができて、製造ラインの異常発生を監視することができる。
【００６７】
上記したように、本発明の実施の形態によれば、端子台装置１は、外部出力機器としてのソレノイド３２を監視する近接スイッチＳＷ０，ＳＷ１，ＳＷ２からの入力データ入力０，入力１，入力２（入力データＤ０，Ｄ１，Ｄ２）を取り込み、入力データＤ０，Ｄ１，Ｄ２を記憶して監視し、入力データＤ０，Ｄ１，Ｄ２に異常がある場合には、メモリカセット９の記憶媒体１０に異常データＦ２と正常データＦ１を記憶させるように機能する。
【００６８】
そして、メモリカセット９を取り外してパーソナルコンピュータ２９に接続し、メモリカセット９の記憶媒体１０が記憶している異常データＦ２と正常データＦ１とのタイムチャートをパーソナルコンピュータ２９の画面上に出力することにより、予防保全のための異常データＦ２の解析が容易に実施できるようになる。このために、製造ラインの異常個所を特定して、この製造ラインを確実に修復することが可能になる。
【００６９】
また、制御手段４は、入力データＤ０，Ｄ１，Ｄ２を所定周期で記憶手段５に記憶させ、異常データＦ２を検出した場合、この異常データＦ２を異常トリガＴとして、記憶手段５に記憶した入力データＤ０，Ｄ１，Ｄ２のうちの異常トリガＴ発生前後の一定期間の入力データ、すなわち、異常データＦ２の１周期と、異常データＦ２の前に記憶した正常データＦ１の１周期の合計２周期のデータを読み出してメモリカセット９の記憶媒体１０に記憶させ、記憶手段５は、制御手段４の制御により入力データＤ０，Ｄ１，Ｄ２を記憶し、この記憶した異常データＦ２の１周期と、異常データＦ２の前に記憶した正常データＦ１の１周期の合計２周期のデータをメモリカセット９の記憶媒体１０に転送することができる。
【００７０】
また、制御手段４は、２周期分の入力データＤ０，Ｄ１，Ｄ２と、予め記憶手段５に設定した所定パターンの２周期分の基本データである入力データＤ０，Ｄ１，Ｄ２とを比較し、両者が一致する場合には入力データＤ０，Ｄ１，Ｄ２が正常と判断し、両者が不一致の場合には入力データＤ０，Ｄ１，Ｄ２が異常と判断することができる。
【００７１】
なお、本実施の形態では、外部入力機器として近接スイッチＳＷ０，ＳＷ１，ＳＷ２の３台で説明したが、近接スイッチの台数はこれに限るものではないし、また、光電スイッチ３０においても、近接スイッチＳＷ０，ＳＷ１，ＳＷ２の場合と同様に作動するものである。
【００７２】
また、本実施の形態では、外部入力機器は、近接スイッチＳＷ０，ＳＷ１，ＳＷ２、光電スイッチ３０に限定されるものではなく、異常停止スイッチ等を含むものである。
【００７３】
【発明の効果】
以上説明したように、本発明に係る端子台装置によれば、入力データに異常がある場合には、メモリカセットの記憶媒体に異常データと正常データとが記憶されるために、このメモリカセットを取り外して、例えばコンピュータ等の機器で正常データと異常データとのタイムチャートを出力できるようになり、予防保全のための異常データの解析を容易に実施することができる。
【００７４】
このように、予防保全のための異常データの解析を行うことにより、異常個所を特定することが可能になり、この異常個所の特定で製造ライン等を確実に修復することができる。
【図面の簡単な説明】
【図１】本発明に係る端子台装置の平面図である。
【図２】同端子台装置の正面図である。
【図３】同端子台装置の制御部のブロック図である。
【図４】同端子台装置のメモリカセット取付部の概略説明図である。
【図５】メモリカセットの平面図である。
【図６】メモリカセットの背面図である。
【図７】メモリカセットの底面図である。
【図８】メモリカセットの正面図である。
【図９】製造ライン監視システムの構成説明図である。
【図１０】メモリカセットをツールケーブルを使用してパーソナルコンピュータに接続する場合の説明図である。
【図１１】（１）は、入力データが正常データである場合における入力データのタイムチャートである。
（２）は、入力データが異常データを含む場合における入力データのタイムチャートである。
【図１２】従来の技術として提示したリモート監視システムの構成説明図である。
【符号の説明】
１    端子台装置
２    端子台部
３    絶縁インタフェース
４    制御手段
５    記憶手段
６    表示器駆動手段
７    表示器
８    リセットスイッチ
９    メモリカセット
１０  記憶媒体
１１  ＰＬＣ側接続コネクタ
１２  ＰＬＣ（制御機器）
３１  バルブ（外部出力機器）
３２  ソレノイド（外部出力機器）
ＣＮ１  メモリカセット接続用コネクタ
ＣＮ２  メモリカセット側コネクタ
ＣＮ３  端子台側コネクタ
ＤＯ，Ｄ１，Ｄ２  入力データ
Ｆ１  正常データ
Ｆ２  異常データ
ＳＷ０，ＳＷ１，ＳＷ２  近接スイッチ（外部入力機器）
【図１】
2004280345.tif 000003
【図２】
2004280345.tif 000004
【図３】
2004280345.tif 000005
【図４】
2004280345.tif 000006
【図５】
2004280345.tif 000007
【図６】
2004280345.tif 000008
【図７】
2004280345.tif 000009
【図８】
2004280345.tif 000010
【図９】
2004280345.tif 000011
【図１０】
2004280345.tif 000012
【図１１】
2004280345.tif 000013
【図１２】
2004280345.tif 000014